(57)【要約】      （修正有）【課題】装飾体の本体への着脱を簡単容易とするとともに、装飾体の本体からの抜けを強力に阻止するバンド状装身具を提供する。【解決手段】伸縮可能なゴムからなる本体１１と、本体に形成され表面から裏面に至る貫通した少なくとも１個の取付け孔１２と、本体に着脱可能に取付けられる装飾体１５とを備える。装飾体は、裏面に本体取付け孔に挿入される柱部１６と、視認領域に意匠を施した装飾部１９と、本体の裏面側に位置し、表面に前記柱部が連結された帯板状の係止部２２とを有し、装飾体の本体への着脱時に本体を引き伸ばすことで取付け孔を拡張させる。この引き伸ばしは本体がゴムで構成されているので、小さな力で行える。係止部が帯板状を呈しているため、装飾体の本体からの抜けを阻止できる。本体の引き伸ばしにより取付け孔１２を拡張させているので、係止部は取付け孔を容易に通過できる。【選択図】図１
0003184327.tif 000002
【実用新案登録請求の範囲】
【請求項１】
伸縮可能なゴムからなり無端または有端である本体と、該本体に形成され表面から裏面に至る貫通した少なくとも１個の取付け孔と、前記本体に着脱可能に取付けられる装飾体とを備え、前記装飾体は、前記取付け孔に挿入される柱部と、本体の表面側に位置するとともに、裏面に前記柱部が連結され、視認領域に意匠が施された装飾部と、本体の裏面側に位置するとともに、表面に前記柱部が連結された帯板状を呈する係止部とを有し、装飾体の本体への着脱時に本体を引き伸ばすことで取付け孔を拡張させるようにしたことを特徴とするバンド状装身具。
【請求項２】
前記取付け孔の径を本体の表面から裏面に向かうに従い徐々に小径とするとともに、前記裏面における取付け孔の径を柱部の径より小とした請求項１記載のバンド状装身具。
【請求項３】
前記係止部の幅を柱部との連結位置から離れるに従い幅狭とした請求項１または２記載のバンド状装身具。
【請求項４】
前記本体をシリコンゴムから構成した請求項１〜３のいずれか一項に記載のバンド状装身具。
【考案の詳細な説明】
【技術分野】
【０００１】
この考案は、無端または有端の本体に装飾体が着脱可能に取付けられたバンド状装身具に関する。
【背景技術】
【０００２】
従来のバンド状装身具としては、例えば以下の特許文献１に記載されているようなものが知られている。
【先行技術文献】
【特許文献】
【０００３】
【特許文献１】登録実用新案第３０４８３５９号公報
【０００４】
このものは、長手方向両端が腕時計に連結された可撓性を有するプラスチック製のバンドと、該バンドに形成され表面から裏面に至る貫通した複数の止め孔と、前記バンドに取付けられる表示具とを備え、前記表示具は、前記止め孔に挿入される係止ピンと、バンドの表面側に位置するとともに、裏面に前記係止ピンが連結され、表面に種々の文字が印刷された表示ヘッドと、バンドの裏面側に位置するとともに、表面に前記係止ピンが連結され、該係止ピンより若干大径である円板状のフランジ部とを有するもので、選択した表示具のフランジ部、係止ピンをいずれかの止め孔に押込み、前記フランジ部をバンドの裏面側に突出させることで、抜け止めを行いながらバンドに取付けるようにしている。
【考案の概要】
【考案が解決しようとする課題】
【０００５】
しかしながら、このような従来のバンド状装身具にあっては、止め孔が形成されているバンドがプラスチックから構成されているため、表示具のバンドへの取付け（止め孔へのフランジ部、係止ピンの挿入）には大きな押込み力が必要となり、この結果、力の弱い子供などには取付け作業が困難になるという課題がある。また、表示具のバンドへの取付け時にはフランジ部を止め孔に無理に押し通すことになるため、止め孔が塑性変形し、この結果、種類の異なる表示具をバンドの同一箇所に繰り返し着脱することは困難であるという課題もあった。さらに、表示具のフランジ部は係止ピンより若干大径な円板状であるため、表示具に大きな外力が作用すると、表示具がバンドから抜け出てしまうという課題もあった。
【０００６】
この考案は、装飾体を簡単かつ容易に本体に着脱することができるとともに、装飾体が一旦本体に取付けられると、かなりの外力が作用しても抜け出ることのないバンド状装身具を提供することを目的とする。
【課題を解決するための手段】
【０００７】
このような目的は、伸縮可能なゴムからなり無端または有端である本体と、該本体に形成され表面から裏面に至る貫通した少なくとも１個の取付け孔と、前記本体に着脱可能に取付けられる装飾体とを備え、前記装飾体は、前記取付け孔に挿入される柱部と、本体の表面側に位置するとともに、裏面に前記柱部が連結され、視認領域に意匠が施された装飾部と、本体の裏面側に位置するとともに、表面に前記柱部が連結された帯板状を呈する係止部とを有し、装飾体の本体への着脱時に本体を引き伸ばすことで取付け孔を拡張させるようにしたバンド状装身具により、達成することができる。
【考案の効果】
【０００８】
この考案においては、装飾体の本体への着脱時に本体を引き伸ばすようにしているが、このような引き伸ばしは本体が伸縮可能なゴムから構成されているため、小さな力で行うことができ、この結果、力の弱い子供等であっても簡単容易に装飾体を本体に着脱することができる。また、本体に一旦装飾体が取付けられると、係止部が帯板状を呈しているため、かなりの外力が作用しても装飾体の本体からの抜けは係止部によって強力に阻止される。さらに、前述のような本体の引き伸ばしにより取付け孔を拡張させているので、装飾体の係止部が前述のように帯板状を呈していても、該係止部は取付け孔を容易に通過することができ、これにより、装飾体の本体への着脱が簡単容易となる。
【０００９】
また、請求項２に記載のように構成すれば、装飾体を本体に対し繰り返し着脱しても取付け孔における亀裂発生を効果的に抑制することができ、これにより、耐久性を容易に向上させることができる。さらに、請求項３に記載のように構成すれば、取付け孔に対する係止部の侵入、抜き出しを容易とすることができ、装飾体の本体に対する着脱作業が容易となる。また、請求項４に記載のように構成すれば、人体に対するアレルギー反応が微弱であるため、皮膚に直接接触するような用途にも安全に使用することができる。
【図面の簡単な説明】
【００１０】
【図１】この考案の実施形態１を示す正面図である。
【図２】図１のＩ−Ｉ矢視断面図である。
【図３】取付け孔近傍の本体を示す平面図である。
【図４】図３のII−II矢視断面図である。
【図５】装飾体の平面図である。
【図６】装飾体の本体への着脱作業を説明する一部が破断された平面図である。
【考案を実施するための形態】
【００１１】
以下、この考案の実施形態１を図面に基づいて説明する。
図１、２において、10はブレスレット、アンクレット、ネックレス、ヘアバンド等、ここではブレスレットとして知られているバンド状装身具であり、このバンド状装身具10は無端のリング状を呈する本体11を有し、この本体11は伸縮可能なゴムから構成されている。ここで、前記本体11を構成するゴムとしては、エチレン・プロピレンゴム、スチレンブタジエン共重合系ゴム、ニトリルゴム、天然ゴム等を用いることができるが、シリコンゴムが、人体に対するアレルギー反応が微弱であって皮膚に直接接触するような前述の用途にも安全に使用することができるので、好適である。
【００１２】
なお、この考案においては、バンド状装身具が時計バンド、アクセサリー用バンドであってもよく、この場合には、本体が腕時計、アクセサリー等に両端が連結された有端の帯状ゴムから構成され、本体と腕時計等とが全体として無端のリング状を呈する。また、前記本体11は無端の帯状を呈しているが、その幅方向両端は手で掴んだときや身体に装着するときに痛みを与えないよう断面弧状に成形されている。
【００１３】
前記本体11には１個の取付け孔12が形成され、この取付け孔12は本体11の表面11ａ（外周面）から裏面11ｂ（内周面）に至るまで半径方向に延びることで、本体11を貫通している。そして、この取付け孔12の径は、図３、４に示すように、本体11の表面11ａから裏面11ｂに向かうに従い徐々に小径となっており、全体として裏面11ｂに向かって先細りの截頭円錐形を呈している。
【００１４】
図１、２、５において、15は前記本体11に着脱可能に取付けられる装飾体であり、この装飾体15は、本体11に取付けられるとき、本体11の取付け孔12に挿入される円柱状の柱部16を有する。ここで、前記取付け孔12の裏面11ｂにおける径（取付け孔12の半径方向内端における内径）は前記装飾体15の柱部16の径（直径）より小径である。また、この実施形態では、柱部16の径を取付け孔12の表面11ａにおける径（取付け孔12の半径方向外端における内径）とほぼ同一径としている。さらに、前記裏面11ｂにおける取付け孔12の径は表面11ａにおける取付け孔12の径の70〜80％の範囲内とすることが好ましい。
【００１５】
そして、前記柱部16が取付け孔12に挿入されると、取付け孔12が全域において押し広げられ、裏面11ｂに接近するに従い前述の押し広げ量が増大する。これにより、特に、裏面11ｂ近傍において取付け孔12の周囲に位置するゴムは柱部16により外側に押出されて、図２に実線で、また、図４に仮想線で示すように、裏面11ｂから盛り上がり該部位が厚肉となるとともに、裏面11ｂと取付け孔12の内周との境界に画成されるエッジがシャープなものから断面略円弧状の曲面に変化する。この結果、装飾体15を本体11に対し繰り返し着脱したり、あるいは、本体11に取付けられている装飾体15に大きな外力が作用してぐらついても、取付け孔12における亀裂発生を効果的に抑制することができ、これにより、本体11の耐久性を容易に向上させることができる。
【００１６】
また、前記装飾体15は柱部16と同軸で円板状を呈する装飾部19を有し、この装飾部19の裏面（半径方向内側面）には前記柱部16の半径方向外端が接着剤等により連結されている。そして、この装飾部19は、前記装飾体15が本体11に取付けられているとき、本体11の表面側に位置している。ここで、装飾部19の外側から視認することができる視認領域、ここでは表面（半径方向外側面）には、装飾体15毎に異なる数字、文字、キャラクター、絵柄等からなる意匠20が印刷、浮き彫り等によって施されている。このように装飾体15毎に異なる意匠20が視認領域に施されていると、本体11に取付けられる装飾体15を気に入ったものに適宜交換することができ、バンド状装身具10を容易にファッション性の高いものとすることができる。
【００１７】
さらに、前記装飾体15は帯板状を呈し長手方向長が柱部16の直径よりかなり大である係止部22を有し、この係止部22は柱部16に直交する方向に延びるとともに、その表面（半径方向外側面）で該係止部22の重心位置には前記柱部16の半径方向内端が一体的に連結されている。そして、この係止部22は、前記装飾体15が本体11に取付けられているとき、本体11の裏面側に位置している。ここで、前記係止部22の幅は係止部22と柱部16との連結位置（係止部22の長手方向中央）から長手方向両端に向かって離れるに従い幅狭となっており、この実施形態では前記係止部22は略楕円形を呈している。
【００１８】
このように係止部22の幅が柱部16との連結位置から離れるに従い幅狭となっていると、本体11への装飾体15の着脱時に、係止部22の取付け孔12に対する侵入、抜き出しを容易とすることができ、装飾体15の本体11に対する着脱作業が容易となる。そして、この実施形態では、前記柱部16、係止部22を外力が作用しても殆ど変形の生じない剛体であるプラスチックから、一方、装飾部19を身体に接触しても痛みが生じることのない軟弱なゴムから構成している。
【００１９】
次に、前記実施形態１の作用について説明する。
所望の装飾体15を本体11に取付ける（装着する）場合には、係止部22の長手方向片端を取付け孔12内に斜めに押し込んだ後、装飾体15をリング状を呈する本体11の軸方向に平行移動させ、取付け孔12が形成されている側の約半周の本体11を、図６に示すように、周方向および軸方向に引き伸ばし略くの字形に変形させる。この結果、取付け孔12も周方向および軸方向に拡張されて略三角形状に拡大変形するが、このとき、取付け孔12の軸方向長が、柱部16の半径に係止部22の長手方向長の 1/2を合計した値より大となると、係止部22を半径方向内側に押し込んで取付け孔12を通過させ、該係止部22全体を本体11の裏面側に位置させる。
【００２０】
次に、柱部16が半径方向に延びるよう装飾体15を傾斜させるとともに、装飾体15を本体11が初期のリング状に復帰するまで軸方向に移動させる。これにより、お気に入りの装飾体15が本体11に取付けられる。なお、この考案においては、本体11を周方向のみに引き伸ばして取付け孔12を周方向に細長く拡張させた後、取付け孔12を通じて係止部22を本体11の裏面側に位置するまで押し込むようにしてもよい。
【００２１】
次に、前述した装飾体15を本体11から取り外す（離脱する）場合には、装飾体15を本体11の軸方向に平行移動させ、本体11の約半周を同様に周方向および軸方向に引き伸ばす。この結果、取付け孔12が前述と同様の大きさまで拡張されるが、このとき、装飾体15を半径方向に対して傾斜させ、約半分の長さの係止部22を取付け孔12から半径方向外側に突出させる。次に、装飾体15を本体11が初期のリング状に復帰するまで軸方向に移動させ、その後、装飾体15の柱部16、係止部22を初期形状に復帰した取付け孔12内から引き抜き、装飾体15を本体11から取り外す。
【００２２】
このように、この実施形態では、装飾体15の本体11への着脱時に本体11を引き伸ばすようにしているが、このような引き伸ばしは本体11が伸縮可能なゴムから構成されているので、小さな力で行うことができ、この結果、力の弱い子供等であっても簡単容易に装飾体15を本体11に着脱することができる。また、本体11に一旦装飾体15が取付けられると、係止部22が帯板状を呈しているため、かなりの外力が作用しても装飾体15の本体11からの抜けは係止部22によって強力に阻止される。さらに、前述のような本体11の引き伸ばしにより取付け孔12を拡張させているので、装飾体15の係止部22が前述のように帯板状を呈していても、該係止部22は取付け孔12を容易に通過することができ、これにより、装飾体15の本体11への着脱が簡単容易となる。
【００２３】
なお、前述の実施形態においては、本体11に１個の取付け孔を形成するようにしたが、この考案においては、本体に周方向に離れた複数の取付け孔を形成するとともに、これら複数の取付け孔のいずれかに所望の装飾体を着脱可能に取付けるようにしてもよい。このように本願考案においては、本体に少なくとも１個の取付け孔を形成すればよい。
【産業上の利用可能性】
【００２４】
この考案は、無端または有端の本体に装飾体が着脱可能に取付けられたバンド状装身具の産業分野に適用できる。
【符号の説明】
【００２５】
10…バンド状装身具         11…本体
11ａ…表面                 11ｂ…裏面
12…取付け孔               15…装飾体
16…柱部                   19…装飾部
20…意匠                   22…係止部
【図１】
0003184327.tif 000003
【図２】
0003184327.tif 000004
【図３】
0003184327.tif 000005
【図４】
0003184327.tif 000006
【図５】
0003184327.tif 000007
【図６】
0003184327.tif 000008